(57)【要約】      （修正有）【課題】棒状の揮散体を用いた場合でも、容器内の薬剤を使い切ることが可能な薬剤揮散器を提供する。【解決手段】底壁部及び周壁部で囲まれた内部空間を有するとともに、上部に開口を有し、前記内部空間に液状の薬剤を収容する容器と、一端部が前記開口から突出するように前記開口から前記内部空間に挿入される、複数の棒状の揮散体と、を備え、前記容器は、前記底壁部の内壁面の周縁と、前記開口の内周縁とを結ぶ直線が、前記内部空間に位置するように構成され、前記底壁部は、当該底壁部の内壁面の周縁から中央に向かって隆起する隆起部を有している。【選択図】図３
2015008799.tif 000002
【特許請求の範囲】
【請求項１】
底壁部及び周壁部で囲まれた内部空間を有するとともに、上部に開口を有し、前記内部空間に液状の薬剤を収容する容器と、
先端部が前記開口から突出するように前記開口から前記内部空間に挿入される、複数の棒状の揮散体と、
を備え、
前記容器は、前記底壁部の内壁面の周縁と、前記開口の内周縁とを結ぶ直線が、前記内部空間に位置するように構成され、
前記底壁部は、当該底壁部の内壁面の周縁から中央に向かって隆起する隆起部を有している、薬剤揮散器。
【請求項２】
前記底壁は円形状に形成され、
前記隆起部は、ドーム状に形成されている、請求項１に記載の薬剤揮散器。
【請求項３】
前記周壁部は、前記底壁から前記開口にいくにしたがってテーパ状に外形が小さくなるように形成されている、請求項１または２に記載の薬剤揮散器。
【請求項４】
前記底壁部の最小外径をＲ、
前記底壁部の内壁面の周縁と前記開口の内周縁とを結ぶ直線、及び前記底壁部とのなす角をθ、
揮散体の長さをＬとしたとき、
Ｒ≧ＬＣＯＳθである、請求項１から３のいずれかに記載の薬剤揮散器。
【請求項５】
前記θは、４５°以上８５°以下である、請求項４に記載の薬剤揮散器。
【請求項６】
前記容器は、ガラスにより形成されている、請求項１から５のいずれかに記載の薬剤揮散器。
【請求項７】
前記揮散体は、ラタンにより形成されている、請求項１から６のいずれかに記載の
薬剤揮散器。
【発明の詳細な説明】
【技術分野】
【０００１】
本発明は、薬剤揮散器に関する。
【背景技術】
【０００２】
従来より、種々の形態の芳香装置が提案されており、例えば、特許文献１には、上部に開口を有する容器に、液状の薬剤を収容し、さらに容器の開口から複数の棒状の揮散体を挿入して薬剤に浸した薬剤揮散器が開示されている。この薬剤揮散器では、薬剤が棒状の揮散体を伝い、そして外部に揮散することで、芳香効果を得ている。
【先行技術文献】
【特許文献】
【０００３】
【特許文献１】特開２０１１−４８６７号公報
【発明の概要】
【発明が解決しようとする課題】
【０００４】
しかしながら、上記のような薬剤揮散器では、容器内のすべての薬剤を使い切ることができないおそれがあった。すなわち、揮散体は棒状に形成されているため、複数の揮散体を用いたとしても、容器の底面全体に接するように配置することはできない。そのため、揮散体が配置されていない部分に残る薬剤を吸い上げることができず、容器内に薬剤が残留するという問題があった。本発明は、上記問題を解決するためになされたものであり、棒状の揮散体を用いた場合でも、容器内の薬剤を使い切ることが可能な薬剤揮散器を提供することを目的とする。
【課題を解決するための手段】
【０００５】
本発明は、底壁部及び周壁部で囲まれた内部空間を有するとともに、上部に開口を有し、前記内部空間に液状の薬剤を収容する容器と、一端部が前記開口から突出するように前記開口から前記内部空間に挿入される、複数の棒状の揮散体と、を備え、前記容器は、前記底壁部の内壁面の周縁と、前記開口の内周縁とを結ぶ直線が、前記内部空間に位置するように構成され、前記底壁部は、当該底壁部の内壁面の周縁から中央に向かって隆起する隆起部を有している。
【０００６】
この構成によれば、容器の底壁部の内壁面には、周縁から中央に向かって隆起する隆起部が設けられているため、液状の薬剤は、残量が少なくなると底壁部の周縁に溜まっていく。また、この隆起部により、棒状の揮散体において容器内にある端部は、傾斜を下って底壁部の周縁へ移動するため、残りの薬剤と接触する。したがって、薬剤の残量が少なくなっても、揮散体と薬剤とが接触するため、薬剤を最後まで使い切ることができる。
【０００７】
上記薬剤揮散器において、隆起部は種々の形状にすることができるが、例えば、前記底壁を円形状に形成し、前記隆起部を、ドーム状に形成することができる。このようにすると、隆起部が曲面により構成されるため、揮散体の端部が傾斜に沿って移動しやすくなる。その他、隆起部を、円錐状、多角錐状など、種々の形状にすることができる。
【０００８】
本発明の容器は、記底壁部の内壁面の周縁と、前記開口の内周縁とを結ぶ直線が、前記内部空間に位置するように構成されていればよく、この限りにおいては種々の形態が可能であり、例えば、前記周壁部が、前記底壁部から前記開口にいくにしたがってテーパ状に外形が小さくなるように形成することができる。
【０００９】
上記薬剤揮散体においては、前記底壁部の最小外径をＲ、前記底壁部の内壁面の周縁と前記開口の内周縁とを結ぶ直線、及び前記底壁部とのなす角をθ、揮散体の長さをＬとしたとき、Ｒ≧ＬＣＯＳθとすることができる。このようにすると、容器の開口から突出する揮散体の端部が、平面視において、容器の底壁部よりも外側に出るのを防止することができる。つまり、揮散体の端部が、容器の最小外径よりも外側にはみ出すのを防止することができる。これにより、例えば、薬剤揮散器を周囲が壁や家具などに囲まれた狭い領域に配置するときに、揮散体の端部が壁などに接触するのを防止することができる。その結果、揮散体を介して薬剤が壁などに付着するのを防止することができる。
【００１０】
このとき、θは、４５°以上８５°以下であることが好ましい。θが、４５°以上であれば、揮散体を一定以上の長さで容器の外部に露出されることができ、θが８５°以下であれば、揮散体の傾斜が大きくなるため、揮散体の下端部を底壁部の内壁面の周縁に移動させやすくなる。
【００１１】
上記薬剤揮散器において、前記容器を形成する材料は特には限定されないが、例えば、ガラスにより形成することができる。このようにすると、揮散体が滑りやすくなり、揮散体の端部が隆起部に沿って底壁部の周縁に移動しやすくなる。その結果、残量が少なくなった薬剤と揮散体とが接触しやすくなるため、薬剤をさらに確実に使い切ることができる。
【００１２】
上記薬剤揮散器において、前記揮散体は種々の材料で形成することができるが、例えば、ラタンにより形成することができる。
【発明の効果】
【００１３】
本発明に係る薬剤揮散器によれば、棒状の揮散体を用いた場合でも、容器内の薬剤を使い切ることができる。
【図面の簡単な説明】
【００１４】
【図１】本発明の一実施形態に係る薬剤揮散器の斜視図である。
【図２】図１の断面図である。
【図３】図１の薬剤揮散器の使用状態を示す断面図である。
【図４】本発明の容器に該当しない容器の例を示す断面図である。
【図５】本発明の容器の他の例を示す断面図である。
【図６】本発明の容器の他の例を示す底壁部の内壁面の平面図である。
【発明を実施するための形態】
【００１５】
以下、本発明に係る薬剤揮散器を芳香剤の揮散器に適用した場合の一実施形態について図面を参照しつつ説明する。図１は本実施形態に係る薬剤揮散器の斜視図、図２は図１の断面図である。
【００１６】
図１及び図２に示すように、この薬剤揮散器は、液状の薬剤が収容された容器１と、この容器１に挿入される揮散体２とで、構成されている。容器１は、円形の底壁部１１と、この底壁部１１の周縁から上方にいくにしたがってテーパ状に外径が小さくなる周壁部１２とで構成されており、全体として円錐状に形成されている。そして、周壁部１２の上端には、円形の開口１３が形成されており、この開口１３が内部空間に通じている。
【００１７】
周壁部１２の外周面には、周方向に延びる環状の突部１２１が複数形成されている。これら突部１２１は、上下方向に所定間隔をおいて形成されており、周壁部１２の上下方向の全面に形成されている。また、この突部１２１のうち、開口１３の近傍に配置されている数個の突部１２１ａは、その他の突部１２１よりも外周面からの高さが高くなっている。そのため、突部１２１による滑り止め効果が高まり、指等によって容器１を掴みやすくなる。
【００１８】
底壁部１１の内壁面は、平面視が円形状であり、その周縁から中央に向かって隆起するドーム状の隆起部１１１が形成されている。すなわち、底壁部１１の内壁面は、中央が盛り上がり、周縁にいくにしたがって、高さが低くなっている。また、隆起部１１１の傾斜面の角度は、後述するように、揮散体２を滑りやすくするため、例えば、２〜１５度にすることができる。なお、隆起部１１１が曲面状に傾斜している場合には、図２に示すように、傾斜角は、傾斜面に対する接線と水平面とのなす角度αになる。なお、この傾斜角は、隆起部１１１のすべての部分で上記範囲の角度である必要はなく、いずれかの部分で上記範囲の角度の傾斜面が形成されていればよい。
【００１９】
以上のような容器１は、ガラス、プラスチックなど種々の材料で形成することができるが、ガラスで形成すると、後述するように、揮散体２が滑りやすくなり、好ましい。また、この容器１に収容される薬剤は、芳香剤、消臭剤、アロマオイルなど揮散体２に含浸され、これを伝って外部に揮散するような薬剤全般を用いることが可能である。
【００２０】
次に、揮散体２について説明する。揮散体２は、容器１の開口１３から挿入されるものであり、棒状に形成されている。揮散体２は、薬剤を吸収し、揮散できるものであれば特には限定されないが、例えば、葦、竹、ラタン（籐）などの天然素材で形成することができる。また、揮散体２の長さは、次のように規定することができる。図２に示すように、揮散体２の下端部を底壁部１１における内壁面の周縁に配置し、上端部を容器１の開口１３から外部へ突出させたとき、揮散体２の長さＬ、揮散体２が水平面に対してなす角θ、底壁部１１の最小外径Ｒの関係が、Ｒ≧Ｌｃｏｓθであることが好ましい。このように規定すると、揮散体２の上端部が、平面視において、容器１の底壁部１１よりも外側に出るのを防止することができる。これにより、例えば、薬剤揮散器を周囲が壁や家具に囲まれた狭い領域に配置するときに、揮散体２の上端部が壁に接触するのを防止することができる。なお、θは、４５°以上８５°以下であることが好ましい。θが、４５°以上であれば、揮散体２を過度に長くすることなく、揮散体２を一定以上の長さで容器１の外部に露出されることができ、θが８５°以下であれば、揮散体２の傾斜が大きくなるため、後述するように、揮散体２の下端部を底壁部１１の内壁面の周縁に移動させやすくなる。すなわち、揮散体２が傾斜する力を利用して周縁に移動させやすくなる。
【００２１】
次に、上記のように構成された薬剤揮散器の使用方法について、図３も参照しつつ説明する。まず、薬剤を開口１３から容器１内に注入する。薬剤は予め容器１に収容されているのではなく、別の薬剤容器（図示省略）に密閉された状態で保存され、使用時に容器１に移す。続いて、複数の揮散体２を容器１の開口１３から挿入し、薬剤に浸す。これにより、薬剤が揮散体２を伝って、上方に移動しつつ外部へと揮散していく。こうして、薬剤による芳香効果、消臭効果などを得ることができる。
【００２２】
そして、薬剤が揮散され続けると、容器１内の薬剤が減少していくが、容器１の底壁部１１における内壁面には隆起部１１１が形成されているため、使用末期には、薬剤は、隆起部１１１の傾斜を伝って内壁面の周縁に移動する。したがって、図３に示すように、残量が少なくなった薬剤は、内壁面の周縁付近に溜まることになる。また、揮散体２の下端部は、隆起部１１１の傾斜面上を滑り、内壁面の周縁へと移動する。これにより、揮散体２の下端部が薬剤に接触するため、残量が少なくなっても薬剤と揮散体２とは接触状態を維持することができる。そのため、薬剤を最後まで使い切ることができる。
【００２３】
また、本実施形態では、別の薬剤容器に密閉された薬剤を、容器１に移して使用するので、容器１には薬剤を密閉するために、キャップや蓋などを取付ける首部を必要としない。したがって、容器の形態として、首部を設けることを前提とするデザインの制限を受けることなく、種々のデザインの容器を用いることができる。本実施形態に係る容器１は、首部を有さず、周壁部１２の上端が開口１３を形成している。したがって、本実施形態においては、首部を設ける必要がなく、その分、容器１の高さを低くすることができるため、揮散体２を開口１３からより長く突出させることができる。
【００２４】
以上、本発明の一実施形態について説明したが、本発明はこれに限定されるものではなく、その趣旨を逸脱しない限りにおいて種々の変更が可能である。例えば、上記実施形態では、円錐状の容器１を用いているが、これに限定されない。例えば、図４に示す形態の容器では、底壁部１１０の内壁面の周縁Ｓ１と、開口１３０の内周縁Ｓ２とを結ぶ直線Ｓの一部（Ｓ３）が、内部空間に位置せず、これによって容器１００の開口１３０から差し込んだ揮散体２００が、容器１００の底壁部１１０の周縁まで達しない。そのため、この形態では薬剤を最後まで使用できないおそれがある。そこで、本発明で使用される容器は、図２及び図３に示すように、少なくとも底壁部１１の内壁面の周縁と、開口１３の内周縁とを結ぶ直線が、内部空間に位置するような形態とする必要がある。この限りにおいては、容器の形状は特には限定されず、平面視の形状は円形のほか、多角形状でもよく、また縦断面も、例えば、図５に示すような複数の形状を組み合わせた形態でもよい。
【００２５】
また、容器１の底面部は、円形のほか、楕円、多角形状でもよい。また、隆起部１１１の形態もドーム状以外も可能であり、多角錐状でもよく、頂部が曲面でなく、鋭利であってもよい。
【００２６】
さらに、底壁部１１の内壁面の形状と隆起部１１１の平面視の形状とが必ずしも一致していなくてもよく、例えば、図６（ａ）に示すように、底壁部１１が矩形状で隆起部１１１が円形、あるいは図６（ｂ）に示すように、底壁部１１が円形で隆起部１１１が六角形であってもよい。
【符号の説明】
【００２７】
１  容器
１１  底壁部
１１１  隆起部
１２  周壁部
１３  開口
２  揮散体
【図１】
2015008799.tif 000003
【図２】
2015008799.tif 000004
【図３】
2015008799.tif 000005
【図４】
2015008799.tif 000006
【図５】
2015008799.tif 000007
【図６】
2015008799.tif 000008